(57)【要約】      （修正有）【課題】相対的に小さいサイズの全面タッチスクリーンを備えても、使用者が命令を詳細かつ正確に入力できる電子機器を提供する。【解決手段】電子機器１００は全面タッチスクリーン１２０、使用者命令を入力される側面タッチセンサ１４０及び全面タッチスクリーン１２０と側面タッチセンサ１４０が付着される本体１６０を含む。使用者命令は、本体に備わったプロセッサ１６２によって処理され、使用者によって側面タッチセンサ１４０のうち、少なくとも一つ以上が既設定された活性化時間以上、タッチされる動作及び使用者によって側面タッチセンサ１４０上でタッチ地点がドラッグされて移動する動作を含む。【選択図】図１
2015127957.tif 000002
【特許請求の範囲】
【請求項１】
全面タッチスクリーンと、
使用者命令（ｕｓｅｒ  ｃｏｍｍａｎｄ）を入力される側面タッチセンサと、
前記使用者命令を処理するプロセッサ（ｐｒｏｃｅｓｓｏｒ）と、
前記全面タッチスクリーンと前記側面タッチセンサが付着される本体と、を備え、
前記使用者命令は、使用者によって前記側面タッチセンサのうちに少なくとも一つ以上が既設定された活性化時間以上、タッチ（ｔｏｕｃｈ）される動作および前記使用者によって前記側面タッチセンサそれぞれのタッチ地点がドラッグ（ｄｒａｇ）されて移動する動作を含み、
前記側面タッチセンサは、前記本体を中心に左側面タッチセンサ、右側面タッチセンサ、上側面タッチセンサおよび下側面タッチセンサを含むことを特徴とする電子機器。
【請求項２】
前記左側面タッチセンサまたは前記右側面タッチセンサと、前記上側面タッチセンサまたは前記下側面タッチセンサとが、前記活性化時間以上、同時にタッチされると、前記全面タッチスクリーン上に、前記左側面タッチセンサまたは前記右側面タッチセンサの第１タッチ地点から延びた第１ポインタラインと、前記上側面タッチセンサまたは前記下側面タッチセンサの第２タッチ地点から延びた第２ポインタラインと、が表示されて、前記第１ポインタラインと前記第２ポインタラインとが接する地点にポインタが表示されて、前記第１タッチ地点と前記第２タッチ地点とが移動することにより、前記全面タッチスクリーン上で前記ポインタ、前記第１ポインタラインおよび前記第２ポインタラインが移動することを特徴とする請求項１に記載の電子機器。
【請求項３】
前記全面タッチスクリーン上に前記ポインタ、前記第１ポインタラインおよび前記第２ポインタラインが表示されている間に、前記ポインタから既設定された距離以内の第１領域がタッチされると、前記プロセッサは、前記コンテンツに対する第１クリック動作を行い、前記ポインタから前記距離を逸脱した第２領域がタッチされると、前記プロセッサは前記コンテンツに対する第２クリック動作を行うことを特徴とする請求項２に記載の電子機器。
【請求項４】
前記全面タッチスクリーン上に前記ポインタ、前記第１ポインタラインおよび前記第２ポインタラインが表示されている間に、前記側面タッチセンサに対するタッチが解除されて、既設定された再活性化時間内に前記側面タッチセンサが再びタッチされて前記第１タッチ地点と前記第２タッチ地点が移動すると、前記プロセッサは前記コンテンツに対するドラッグ動作を行うことを特徴とする請求項２に記載の電子機器。
【請求項５】
前記左側面タッチセンサと前記右側面タッチセンサとが前記活性化時間以上、同時にタッチされると、前記全面タッチスクリーン上に前記左側面タッチセンサの第１タッチ地点と前記右側面タッチセンサの第２タッチ地点とを接続する第１分割ラインが表示され、
前記上側面タッチセンサと前記下側面タッチセンサとが前記活性化時間以上、同時にタッチされると、前記全面タッチスクリーン上に前記上側面タッチセンサの第３タッチ地点と前記下側面タッチセンサの第４タッチ地点とを接続する第２分割ラインが表示され、
前記第１タッチ地点と前記第２タッチ地点とが移動することにより、前記全面タッチスクリーン上で前記第１分割ラインが移動して、前記第３タッチ地点と前記第４タッチ地点とが移動することにより、前記全面タッチスクリーン上で前記第２分割ラインが移動され、
前記全面タッチスクリーンの表示領域は前記第１分割ラインによって上下表示領域で分割されて、前記第２分割ラインによって左右表示領域で分割されることを特徴とする請求項１に記載の電子機器。
【請求項６】
前記表示領域が前記第１分割ラインによって前記上下表示領域で分割された状態で、前記左側面タッチセンサと前記右側面タッチセンサとが前記活性化時間以上、同時にタッチされると、前記全面タッチスクリーン上に前記第１分割ラインが再び表示されて、前記第１タッチ地点と前記第２タッチ地点とが移動することにより、前記上下表示領域が変形されることを特徴とする請求項５に記載の電子機器。
【請求項７】
前記表示領域が前記第２分割ラインによって前記左右表示領域で分割された状態で、前記上側面タッチセンサと前記下側面タッチセンサとが前記活性化時間以上、同時にタッチされると、前記全面タッチスクリーン上に前記第２分割ラインが再び表示されて、前記第３タッチ地点と前記第４タッチ地点とが移動することにより、前記左右表示領域が変形されることを特徴とする請求項５に記載の電子機器。
【請求項８】
前記表示領域が前記第１分割ラインと前記第２分割ラインとによって前記左右表示領域と前記上下表示領域で分割された状態で、前記左側面タッチセンサ、前記右側面タッチセンサ、前記上側面タッチセンサまたは、前記下側面タッチセンサが前記活性化時間以上、タッチされると、前記全面タッチスクリーン上に前記第１分割ラインまたは前記第２分割ラインが部分的に再び表示されて、前記第１タッチ地点、前記第２タッチ地点、前記第３タッチ地点または、前記第４タッチ地点が移動することにより、前記左右表示領域または前記上下表示領域が変形されることを特徴とする請求項５に記載の電子機器。
【請求項９】
前記表示領域が、前記第１分割ラインと前記第２分割ラインとによって前記左右表示領域と前記上下表示領域とに分割された状態で、前記左側面タッチセンサと前記右側面タッチセンサが位置的に交錯して前記活性化時間以上、同時にタッチされてもよく、または、前記上側面タッチセンサと前記下側面タッチセンサとが位置的に交錯して前記活性化時間以上、同時にタッチされると、前記全面タッチスクリーン上に前記第１分割ラインと前記第２分割ラインが再び表示されて、前記第１タッチ地点、前記第２タッチ地点、前記第３タッチ地点または、前記第４タッチ地点が移動することにより、前記左右表示領域と前記上下表示領域とが前記第１分割ラインと前記第２分割ラインの交差点を中心に回転して移動することを特徴とする請求項５に記載の電子機器。
【請求項１０】
前記表示領域が前記第１分割ラインと前記第２分割ラインによって前記左右表示領域と前記上下表示領域で分割された状態で、前記左側面タッチセンサまたは前記右側面タッチセンサと、前記上側面タッチセンサまたは前記下側面タッチセンサとが、前記活性化時間以上、同時にタッチされた後、前記全面タッチスクリーンがタッチされて前記左右表示領域と前記上下表示領域中から対象領域が決定されると、前記第１タッチ地点、前記第２タッチ地点、前記第３タッチ地点または、前記第４タッチ地点が移動することにより、前記対象領域は、ズームイン（ｚｏｏｍ−ｉｎ）または、ズームアウト（ｚｏｏｍ−ｏｕｔ）されることを特徴とする請求項５に記載の電子機器。
【発明の詳細な説明】
【技術分野】
【０００１】
本発明は、電子機器に関する。より詳しくは、本発明は、タッチスクリーンを備えた電子機器に関する。
【背景技術】
【０００２】
最近、タッチスクリーンを備えた電子機器（例えば、携帯電話、スマートフォン、スマートパッドなどのようなモバイル機器）が広く使われている。さらに、携帯電話、スマートフォン、スマートパッドなどのようにモバイル機器と連動されてもよく、または、独自に所定の機能を行うようにモバイル機器の機能がつなぎ合わされた腕時計型モバイル機器（すなわち、スマートウォッチ（ｓｍａｒｔ  ｗａｔｃｈ））に対する関心が高まっている。しかしながら、腕時計型モバイル機器は、腕に着用されるため、サイズに関して限界を有している。そのため、携帯電話、スマートフォン、スマートパッドなどのようなモバイル機器とは異なり、腕時計型モバイル機器の全面タッチスクリーンのサイズは自由に決定できず、サイズ上の自由度が低い。一般的に、腕時計型モバイル機器の全面タッチスクリーンは、携帯電話、スマートフォン、スマートパッドのようなモバイル機器の全面タッチスクリーンに比べて相対的に小さいサイズ（例えば、１.３インチ（ｉｎｃｈ）程度）を有する。したがって、使用者が全面タッチスクリーンにタッチ（ｔｏｕｃｈ）および/または、ドラッグ（ｄｒａｇ）して、使用者命令を入力する従来方式を腕時計型モバイル機器に適用する場合、使用者命令を詳細に（精度良く）入力できず、それにより使用者の意図とは異なった使用者命令が誤入力されることがある。
【先行技術文献】
【特許文献】
【０００３】
【特許文献１】米国公開特許第２０１１−０８７９６３号公報
【特許文献２】韓国公開特許第２０１０−０５８２５０号公報
【特許文献３】韓国登録特許第０９３８１５８号公報
【発明の概要】
【発明が解決しようとする課題】
【０００４】
本発明の一目的は、相対的に小さいサイズの全面タッチスクリーンを備えても、使用者が使用者命令を詳細かつ正確に入力できる電子機器を提供することにある。ただし、本発明が解決したい課題は、それに限定されるのではなく、本発明の思想および領域から逸脱しない範囲で多様に拡張される。
【課題を解決するための手段】
【０００５】
本発明の一目的を達成するために、本発明の実施例に係る電子機器は、全面タッチスクリーンと、使用者命令（ｕｓｅｒ  ｃｏｍｍａｎｄ）を入力される側面タッチセンサと、前記使用者命令を処理するプロセッサ（ｐｒｏｃｅｓｓｏｒ）と、前記全面タッチスクリーンと前記側面タッチセンサが付着される本体と、を備える。このとき、前記使用者命令は、使用者によって前記側面タッチセンサのうち、少なくとも一つ以上が既設定された活性化（ａｃｔｉｖａｔｉｏｎ）時間以上、タッチ（ｔｏｕｃｈ）される動作および前記使用者によって前記側面タッチセンサそれぞれのタッチ地点がドラッグ（ｄｒａｇ）されて移動する動作を含んでもよい。
【０００６】
つまり、側面タッチセンサは、使用者からの使用者命令を受け付け、プロセッサに送信する。使用者命令としては、上述した使用者の動作を含む。プロセッサは、側面タッチセンサからの使用者命令の入力を受け付けると、受け付けた使用者命令を処理する。
【０００７】
第一実施例によると、前記側面タッチセンサは、前記本体を中心に左側面タッチセンサ、右側面タッチセンサ、上側面タッチセンサおよび下側面タッチセンサを含んでもよい。
【０００８】
第一実施例によると、前記電子機器は、使用者の腕に着用される腕時計型モバイル機器であってもよい。
【０００９】
第一実施例によると、前記左側面タッチセンサまたは前記右側面タッチセンサと、前記上側面タッチセンサまたは前記下側面タッチセンサと、が前記活性化時間以上、同時にタッチされると、前記全面タッチスクリーン上に、前記左側面タッチセンサまたは前記右側面タッチセンサの第１タッチ地点から延びた第１ポインタラインと、前記上側面タッチセンサまたは前記下側面タッチセンサの第２タッチ地点から延びた第２ポインタラインとが表示され、前記第１ポインタラインと前記第２ポインタラインとが接する（交差する）地点にポインタが表示されてもよい。
【００１０】
第一実施例によると、前記第１タッチ地点と前記第２タッチ地点とが移動することにより、前記全面タッチスクリーン上で前記ポインタ、前記第１ポインタラインおよび前記第２ポインタラインが移動してもよい。
【００１１】
第一実施例によると、前記第１タッチ地点と前記第２タッチ地点とが移動した以後、既設定された非活性化（ｄｅａｃｔｉｖａｔｉｏｎ）時間が経過すると、前記全面タッチスクリーン上において前記ポインタ、前記第１ポインタラインおよび前記第２ポインタラインが非表示になってもよい（消去されてもよい）。
【００１２】
第一実施例によると、前記全面タッチスクリーン上に前記ポインタ、前記第１ポインタラインおよび前記第２ポインタラインが表示されている間に、前記全面タッチスクリーンがタッチされると、前記プロセッサは、前記ポインタが指示するコンテンツ（ｃｏｎｔｅｎｔｓ）に対するクリック（ｃｌｉｃｋ）動作を行ってもよい。
【００１３】
第一実施例によると、前記全面タッチスクリーン上に前記ポインタ、前記第１ポインタラインおよび前記第２ポインタラインが表示されている間に、前記ポインタから既設定された距離以内の第１領域がタッチされると、前記プロセッサは、前記コンテンツに対する第１クリック動作を行い、前記ポインタから前記距離を逸脱した第２領域がタッチされると、前記プロセッサは、前記コンテンツに対する第２クリック動作を行ってもよい。
【００１４】
第一実施例によると、前記第１クリック動作は、マウス装置の左クリック動作に相応し、前記第２クリック動作は、前記マウス装置の右クリック動作に相応してもよい。
【００１５】
第一実施例によると、前記全面タッチスクリーン上に前記ポインタ、前記第１ポインタラインおよび前記第２ポインタラインが表示されている間に、前記側面タッチセンサに対するタッチが解除され、既設定された再活性化（ｒｅａｃｔｉｖａｔｉｏｎ）時間内に前記側面タッチセンサが再びタッチされて前記第１タッチ地点と前記第２タッチ地点が移動すると、前記プロセッサは、前記コンテンツに対するドラッグ動作を行ってもよい。
【００１６】
第一実施例によると、前記再活性化時間は、前記活性化時間より短く設定されてもよい。
【００１７】
第一実施例によると、前記左側面タッチセンサと前記右側面タッチセンサとが前記活性化時間以上、同時にタッチされると、前記全面タッチスクリーン上に前記左側面タッチセンサの第１タッチ地点と前記右側面タッチセンサの第２タッチ地点とを接続する第１分割ラインが表示されてもよい。
【００１８】
第一実施例によると、前記上側面タッチセンサと前記下側面タッチセンサとが前記活性化時間以上、同時にタッチされると、前記全面タッチスクリーン上に前記上側面タッチセンサの第３タッチ地点と前記下側面タッチセンサの第４タッチ地点とを接続する第２分割ラインが表示されてもよい。
【００１９】
第一実施例によると、前記第１タッチ地点と前記第２タッチ地点とが移動することにより、前記全面タッチスクリーン上に前記第１分割ラインが移動して、前記第３タッチ地点と前記第４タッチ地点とが移動することにより、前記全面タッチスクリーン上で前記第２分割ラインが移動してもよい。
【００２０】
第一実施例によると、前記全面タッチスクリーンの表示領域は、前記第１分割ラインによって上下表示領域で分割され、前記第２分割ラインによって左右表示領域で分割されてもよい。
【００２１】
第一実施例によると、前記第１タッチ地点と前記第２タッチ地点とが移動した以後、既設定された非活性化時間が経過すると、前記全面タッチスクリーン上において前記第１分割ラインが非表示になってもよい。
【００２２】
第一実施例によると、前記第３タッチ地点と前記第４タッチ地点とが移動した以後、前記非活性化時間が経過すると、前記全面タッチスクリーン上において前記第２分割ラインが非表示になってもよい。
【００２３】
第一実施例によると、前記表示領域が前記第１分割ラインによって前記上下表示領域で分割された状態で、前記左側面タッチセンサと前記右側面タッチセンサとが前記活性化時間以上、同時にタッチされると、前記全面タッチスクリーン上に前記第１分割ラインが再び表示され、前記第１タッチ地点と前記第２タッチ地点とが移動することにより、前記上下表示領域が変形されてもよい。
【００２４】
第一実施例によると、前記表示領域が前記第２分割ラインによって前記左右表示領域で分割された状態で、前記上側面タッチセンサと前記下側面タッチセンサとが前記活性化時間以上、同時にタッチされると、前記全面タッチスクリーン上に前記第２分割ラインが再び表示され、前記第３タッチ地点と前記第４タッチ地点とが移動することにより、前記左右表示領域が変形されてもよい。
【００２５】
第一実施例によると、前記表示領域が前記第１分割ラインと前記第２分割ラインとによって前記左右表示領域と前記上下表示領域で分割された状態で、前記左側面タッチセンサ、前記右側面タッチセンサ、前記上側面タッチセンサまたは、前記下側面タッチセンサが前記活性化時間以上、タッチされると、前記全面タッチスクリーン上に前記第１分割ラインまたは、前記第２分割ラインが部分的に再び表示され、前記第１タッチ地点、前記第２タッチ地点、前記第３タッチ地点または、前記第４タッチ地点が移動することにより、前記左右表示領域または、前記上下表示領域が変形されてもよい。
【００２６】
第一実施例によると、前記表示領域が、前記第１分割ラインと前記第２分割ラインとによって前記左右表示領域と前記上下表示領域とで分割された状態で、前記左側面タッチセンサと前記右側面タッチセンサとが位置的に交錯して前記活性化時間以上、同時にタッチされてもよく、または、前記上側面タッチセンサと前記下側面タッチセンサとが位置的に交錯して前記活性化時間以上、同時にタッチされると、前記全面タッチスクリーン上に前記第１分割ラインと前記第２分割ラインとが再び表示され、前記第１タッチ地点、前記第２タッチ地点、前記第３タッチ地点または、前記第４タッチ地点が移動することにより、前記左右表示領域と前記上下表示領域とが前記第１分割ラインと前記第２分割ラインとの交差点を中心に回転して移動してもよい。
【００２７】
第一実施例によると、前記表示領域が前記第１分割ラインと前記第２分割ラインによって前記左右表示領域と前記上下表示領域とで分割された状態で、前記左側面タッチセンサまたは前記右側面タッチセンサと、前記上側面タッチセンサまたは前記下側面タッチセンサとが前記活性化時間以上、同時にタッチされた後、前記全面タッチスクリーンがタッチされて前記左右表示領域と前記上下表示領域中から対象領域が決定されると、前記第１タッチ地点、前記第２タッチ地点、前記第３タッチ地点または、前記第４タッチ地点が移動することにより、前記対象領域は、ズームイン（ｚｏｏｍ−ｉｎ）または、ズームアウト（ｚｏｏｍ−ｏｕｔ）してもよい。
【発明の効果】
【００２８】
本発明の実施例に係る電子機器は使用者命令を入力される側面タッチセンサを備え、使用者によって側面タッチセンサのうち、少なくとも一つ以上が既設定された活性化時間以上、タッチされる動作および使用者によって側面タッチセンサそれぞれのタッチ地点がドラッグされて移動する動作を用いて使用者命令が入力されたことにより、使用者は、使用者命令を詳細かつ正確に入力することができる。ただし、本発明の効果はこれに対し限定されるのではなくて、本発明の思想および領域から逸脱しない範囲で多様に拡張されるはずである。
【図面の簡単な説明】
【００２９】
【図１】本発明の実施例に係る電子機器を示すブロック図である。
【図２】図１の電子機器が腕時計型モバイル機器として具現された一例を示す図である。
【図３】図１の電子機器に備わった全面タッチスクリーン、側面タッチセンサおよび本体を示す図である。
【図４】図１の電子機器におけるクリック動作が実行される過程を示す手順図である。
【図５】図１の電子機器におけるクリック動作が実行される一例を示す図である。
【図６】図１の電子機器におけるクリック動作が実行される一例を示す図である。
【図７】図１の電子機器におけるクリック動作が実行される一例を示す図である。
【図８】図１の電子機器におけるクリック動作が実行される一例を示す図である。
【図９】図１の電子機器におけるクリック動作がマウス装置の左クリック動作と右クリック動作に区分される一例を示す図である。
【図１０】図１の電子機器におけるドラッグ動作が実行される過程を示す手順図である。
【図１１】図１の電子機器におけるドラッグ動作が実行される一例を示す図である。
【図１２】図１の電子機器におけるドラッグ動作が実行される一例を示す図である。
【図１３】図１の電子機器におけるドラッグ動作が実行される一例を示す図である。
【図１４】図１の電子機器におけるドラッグ動作が実行される一例を示す図である。
【図１５】図１の電子機器における領域分割動作が実行される過程を示す手順図である。
【図１６】図１の電子機器における領域分割動作が実行される一例を示す図である。
【図１７】図１の電子機器における領域分割動作が実行される一例を示す図である。
【図１８】図１の電子機器における領域分割動作が実行される一例を示す図である。
【図１９】図１の電子機器における領域分割動作が実行される一例を示す図である。
【図２０】図１の電子機器における領域分割動作が実行される他の例を示す図である。
【図２１】図１の電子機器における領域分割動作が実行される他の例を示す図である。
【図２２】図１の電子機器における領域分割動作が実行される他の例を示す図である。
【図２３】図１の電子機器における領域分割動作が実行される他の例を示す図である。
【図２４】図１の電子機器における領域分割動作が部分的に実行される過程を示す手順図である。
【図２５】図１の電子機器における領域分割動作が部分的に実行される一例を示す図である。
【図２６】図１の電子機器における領域分割動作が部分的に実行される一例を示す図である。
【図２７】図１の電子機器における領域分割動作が部分的に実行される一例を示す図である。
【図２８】図１の電子機器における領域分割動作が部分的に実行される一例を示す図である。
【図２９】図１の電子機器における領域変形動作が実行される過程を示す手順図である。
【図３０】図１の電子機器における領域変形動作が実行される一例を示す図である。
【図３１】図１の電子機器における領域変形動作が実行される一例を示す図である。
【図３２】図１の電子機器における領域変形動作が実行される一例を示す図である。
【図３３】図１の電子機器における領域変形動作が実行される一例を示す図である。
【図３４】図１の電子機器における領域変形動作が部分的に実行される過程を示す手順図である。
【図３５】図１の電子機器における領域変形動作が部分的に実行される一例を示す図である。
【図３６】図１の電子機器における領域変形動作が部分的に実行される一例を示す図である。
【図３７】図１の電子機器における領域変形動作が部分的に実行される一例を示す図である。
【図３８】図１の電子機器における領域変形動作が部分的に実行される一例を示す図である。
【図３９】図１の電子機器における領域移動動作が実行される過程を示す手順図である。
【図４０】図１の電子機器における領域移動動作が実行される一例を示す図である。
【図４１】図１の電子機器における領域移動動作が実行される一例を示す図である。
【図４２】図１の電子機器における領域移動動作が実行される一例を示す図である。
【図４３】図１の電子機器における領域移動動作が実行される一例を示す図である。
【図４４】図１の電子機器における領域ズーミング（ｚｏｏｍｉｎｇ）動作が実行される過程を示す手順図である。
【図４５】図１の電子機器における領域ズーミング動作が実行される一例を示す図である。
【図４６】図１の電子機器における領域ズーミング動作が実行される一例を示す図である。
【図４７】図１の電子機器における領域ズーミング動作が実行される一例を示す図である。
【図４８】図１の電子機器における領域ズーミング動作が実行される一例を示す図である。
【図４９】図１の電子機器における領域ズーミング動作が実行される一例を示す図である。
【発明を実施するための形態】
【００３０】
以下、添付した図面を参照して、本発明の望ましい実施例をより詳細に説明したい。図面上の同一な構成要素に対しては、同じ参照符号を用いて、同一な構成要素に対して重複した説明は省略する。
【００３１】
なお、以下において「タッチ」とは、例えば全面タッチスクリーン又は側面タッチセンサを、使用者が触れる操作を意味する。また、「クリック」とは、例えば、ポインタが指示しているコンテンツを選択する操作、又は選択されたコンテンツを表示又は実行させる操作等を意味する。また、「ドラッグ」とは、所望の範囲を決定するための操作等を意味する。
【００３２】
図１は、本発明の実施例に係る電子機器を示すブロック図であり、図２は、図１の電子機器が腕時計型モバイル機器で具現された一例を示す図面であり、図３は、図１の電子機器に備わった全面タッチスクリーン、側面タッチセンサおよび本体を示す図である。
【００３３】
図１乃至図３を参照すると、電子機器１００は、全面タッチスクリーン１２０、側面タッチセンサ１４０および本体１６０を含んでもよい。全面タッチスクリーン１２０と側面タッチセンサ１４０は、本体１６０に付着してもよい。実施例により、図２に図示されたように、電子機器１００は、使用者の腕に着用される腕時計型モバイル機器すなわち、スマートウォッチであってもよい。
【００３４】
全面タッチスクリーン１２０は、表示機能とタッチセンシング機能を行ってもよい。これに対し、全面タッチスクリーン１２０は、表示機能を行うための表示パネルとタッチセンシング機能を行うためのタッチセンシングパネルを備えてもよい。実施例により、全面タッチスクリーン１２０は、フレキシブル（ｆｌｅｘｉｂｌｅ）タッチスクリーンで具現されてもよい。電子機器１００が携帯電話、スマートフォン、スマートパッドなどのようなモバイル機器と連動されてもよい。または、独自に所定の機能を行えるようにモバイル機器の機能がつなぎ合わされた腕時計型モバイル機器であってもよい。このような腕時計型モバイル機器である場合、使用者の腕に着用されなければならない理由により、電子機器１００に備わった全面タッチスクリーン１２０は、携帯電話、スマートフォン、スマートパッドなどのようなモバイル機器の全面タッチスクリーンに比べて相対的に小さいサイズ（例えば、１.３インチ程度）に限定される傾向にある。このような理由により、本発明の電子機器１００は、使用者が全面タッチスクリーン１２０にタッチおよび/または、ドラッグして使用者命令を入力する従来方式に依存しない。すなわち、電子機器１００は、主に側面タッチセンサ１４０を用いて使用者命令を入力されることができる。以下、電子機器１００が側面タッチセンサ１４０を用いて使用者命令を入力される例を挙げて説明されるが、本発明は、電子機器１００が全面タッチスクリーン１２０を用いて使用者命令を入力されるのを排除するわけではない。例えば、電子機器１００においては、側面タッチセンサ１４０を用いて使用者命令を入力されると同時に、全面タッチスクリーン１２０を用いて使用者命令を入力されることもできる。
【００３５】
上述したように、電子機器１００に備わった側面タッチセンサ１４０が使用者命令を入力されてもよい、つまり側面タッチセンサ１４０が、使用者から使用者命令を受け付けてもよい。具体的に、図３に図示されたように、側面タッチセンサ１４０は、本体１６０を中心に左側面タッチセンサ１４０−１１、右側面タッチセンサ１４０−１２、上側面タッチセンサ１４０−２１および下側面タッチセンサ１４０−２２を含んでもよい。実施例により、側面タッチセンサ１４０は、左側面タッチセンサ１４０−１１と右側面タッチセンサ１４０−１２のうちの一つのみと、上側面タッチセンサ１４０−２１と下側面タッチセンサ１４０−２２のうちの一つのみと、を含んでもよい。また、側面タッチセンサ１４０は、左側面タッチセンサ１４０−１１と右側面タッチセンサ１４０−１２のうちの一つのみを含んでもよい。また、側面タッチセンサ１４０は、上側面タッチセンサ１４０−２１と下側面タッチセンサ１４０−２２のうちの一つのみを含んでもよい。言い換えれば、左側面タッチセンサ１４０−１１、右側面タッチセンサ１４０−１２、上側面タッチセンサ１４０−２１および下側面タッチセンサ１４０−２２の中から、一部が省略されてもよい。使用者命令は、使用者によって側面タッチセンサ１４０のうち、少なくとも一つ以上が既設定された活性化時間以上、タッチされる動作および使用者によって側面タッチセンサ１４０のそれぞれのタッチ地点がドラッグされて移動する動作を含んでもよい。すなわち、使用者命令は、使用者が側面タッチセンサ１４０のうち、少なくとも一つ以上を既設定された活性化時間以上、タッチし、側面タッチセンサ１４０のそれぞれのタッチ地点をドラッグして移動させることによって電子機器１００に入力されてもよい。このとき、使用者命令は、本体１６０に備わったプロセッサ１６２により処理されてもよい。なお、活性化時間とは、使用者による側面タッチセンサ１４０の操作を有効と認識するための時間である。ここでは、特に、側面タッチセンサ１４０の最初の操作を有効と認識するための時間であってもよい。
【００３６】
第一実施例において、使用者によって左側面タッチセンサ１４０−１１または右側面タッチセンサ１４０−１２と、上側面タッチセンサ１４０−２１または下側面タッチセンサ１４０−２２と、が既設定された活性化時間以上、同時にタッチされると、全面タッチスクリーン１２０上に左側面タッチセンサ１４０−１１または右側面タッチセンサ１４０−１２の第１タッチ地点から延びた第１ポインタラインと、上側面タッチセンサ１４０−２１または下側面タッチセンサ１４０−２２の第２タッチ地点から延びた第２ポインタラインと、が表示されてもよく、第１ポインタラインと第２ポインタラインとが接する（交差する）地点にポインタが表示されてもよい。例えば、右側面タッチセンサ１４０−１２及び下側面タッチセンサ１４０−２２が既設定された活性化時間以上、同時にタッチされると、全面タッチスクリーン１２０上に右側面タッチセンサ１４０−１２の第１タッチ地点から延びた第１ポインタラインと下側面タッチセンサ１４０−２２の第２タッチ地点から延びた第２ポインタラインとが表示されてもよい。そして、第１ポインタラインと第２ポインタラインとが接する地点にポインタが表示されてもよい。すなわち、第１ポインタラインと第２ポインタラインとは、互いに接触してもよい。ただし、それは例示的なものに過ぎないことにあるから、右側面タッチセンサ１４０−１２と上側面タッチセンサ１４０−２１とが同時にタッチされてもよく、左側面タッチセンサ１４０−１１と下側面タッチセンサ１４０−２２とが同時にタッチされてもよく、左側面タッチセンサ１４０−１１と上側面タッチセンサ１４０−２１とが同時にタッチされてもよい。
【００３７】
このように、使用者によって、左側面タッチセンサ１４０−１１または右側面タッチセンサ１４０−１２と、上側面タッチセンサ１４０−２１または下側面タッチセンサ１４０−２２とが既設定された活性化時間以上、同時にタッチされると、全面タッチスクリーン１２０上にポインタ、第１ポインタラインおよび第２ポインタラインが表示されてもよい。以後、使用者によって、左側面タッチセンサ１４０−１１または右側面タッチセンサ１４０−１２の第１タッチ地点と、上側面タッチセンサ１４０−２１または下側面タッチセンサ１４０−２２の第２タッチ地点と、が移動することにより、左側面タッチセンサ１４０−１１または右側面タッチセンサ１４０−１２の第１タッチ地点から延びた第１ポインタラインと、上側面タッチセンサ１４０−２１または下側面タッチセンサ１４０−２２の第２タッチ地点とから延びた第２ポインタラインと、第１ポインタラインと第２ポインタラインとの交差点に位置するポインタと、が動くことができる。したがって、使用者は全面タッチスクリーン１２０上に表示されたポインタ、第１ポインタラインおよび第２ポインタラインを確認して、側面タッチセンサ１４０のそれぞれのタッチ地点をドラッグ（すなわち、左側面タッチセンサ１４０−１１または右側面タッチセンサ１４０−１２の第１タッチ地点と、上側面タッチセンサ１４０−２１または下側面タッチセンサ１４０−２２の第２タッチ地点とをドラッグ）して移動させることができる。
【００３８】
全面タッチスクリーン１２０上に、ポインタ、第１ポインタラインおよび第２ポインタラインが表示されている間に、使用者によって全面タッチスクリーン１２０がタッチされると、本体１６０に備わったプロセッサ１６２は、ポインタが指示するコンテンツに対するクリック動作を行ってもよい。具体的に、全面タッチスクリーン１２０上に、ポインタ、第１ポインタラインおよび第２ポインタラインが表示されている間に、前記ポインタから既設定された距離以内の第１領域がタッチされると、本体１６０に備わったプロセッサ１６２は、コンテンツに対する第１クリック動作を行ってもよく、前記ポインタから既設定された距離を逸脱した第２領域がタッチされると、本体１６０に備わったプロセッサ１６２は、コンテンツに対する第２クリック動作を行ってもよい。例えば、コンテンツに対する第１クリック動作は、マウス装置の左クリック動作に相応でき、コンテンツに対する第２クリック動作は、マウス装置の右クリック動作に相応してもよい。ただし、それは例示的なものとして、第１クリック動作と第２クリック動作が実行される方式、第１クリック動作と第２クリック動作の内容などは、多様に設計変更されてもよい。一方、使用者によって左側面タッチセンサ１４０−１１または右側面タッチセンサ１４０−１２の第１タッチ地点と、上側面タッチセンサ１４０−２１または下側面タッチセンサ１４０−２２の第２タッチ地点とが移動した以後、既設定された非活性化時間が経過すると、全面タッチスクリーン１２０上で、ポインタ、第１ポインタラインおよび第２ポインタラインが非表示になってもよい。すなわち、全面タッチスクリーン１２０上で、ポインタ、第１ポインタラインおよび第２ポインタラインが消える。
【００３９】
他の実施例において、全面タッチスクリーン１２０上に、ポインタ、第１ポインタラインおよび第２ポインタラインが表示されている間に、使用者によって側面タッチセンサ１４０に対するタッチが解除され、既設定された再活性化時間内に、左側面タッチセンサ１４０−１１または右側面タッチセンサ１４０−１２と、上側面タッチセンサ１４０−２１または下側面タッチセンサ１４０−２２と、が再びタッチされてもよい。再活性化時間とは、使用者が側面タッチセンサ１４０を最初に操作して、その操作を解除した場合に、その操作を解除してから次に使用者が側面タッチセンサ１４０を操作するまでの時間を言う。
【００４０】
以後、使用者によって、左側面タッチセンサ１４０−１１または右側面タッチセンサ１４０−１２の第１タッチ地点と、上側面タッチセンサ１４０−２１または下側面タッチセンサ１４０−２２の第２タッチ地点とが移動されると、本体１６０に備わったプロセッサ１６２は、左側面タッチセンサ１４０−１１または右側面タッチセンサ１４０−１２の第１タッチ地点が移動した距離と、上側面タッチセンサ１４０−２１または下側面タッチセンサ１４０−２２の第２タッチ地点が移動した距離と、に基づいてドラッグ領域を設定してもよい。すなわち、本体１６０に備わったプロセッサ１６２は、コンテンツに対するドラッグ動作を行ってもよい。例えば、前記ドラッグ領域は、左側面タッチセンサ１４０−１１または右側面タッチセンサ１４０−１２の第１タッチ地点が移動した距離を一辺にして、上側面タッチセンサ１４０−２１または下側面タッチセンサ１４０−２２の第２タッチ地点が移動した距離を他の辺にする四角形領域に相応してもよい。実施例により、既設定された再活性化時間は、既設定された活性化時間より短く設定されてもよい。ただし、既設定された再活性化時間と既設定された活性化時間とは、互いに同一の時間に設定されることもでき、又は既設定された再活性化時間が既設定された活性化時間より長く設定されてもよい。
【００４１】
また他の実施例において、使用者によって、左側面タッチセンサ１４０−１１と右側面タッチセンサ１４０−１２が既設定された活性化時間以上、同時にタッチされると、全面タッチスクリーン１２０上に左側面タッチセンサ１４０−１１の第１タッチ地点と右側面タッチセンサ１４０−１２の第２タッチ地点とを接続する第１分割ラインが表示されてもよい。また、上側面タッチセンサ１４０−２１と下側面タッチセンサ１４０−２２が既設定された活性化時間以上、同時にタッチされると、全面タッチスクリーン１２０上に上側面タッチセンサ１４０−２１の第３タッチ地点と下側面タッチセンサ１４０−２２の第４タッチ地点とを接続する第２分割ラインが表示されてもよい。以後、使用者によって、左側面タッチセンサ１４０−１１の第１タッチ地点と右側面タッチセンサ１４０−１２の第２タッチ地点とが移動されることにより、全面タッチスクリーン１２０上で第１分割ラインが移動してもよい。同様に、使用者によって、上側面タッチセンサ１４０−２１の第３タッチ地点と下側面タッチセンサ１４０−２２の第４タッチ地点が移動されることにより、全面タッチスクリーン１２０上で第２分割ラインが移動してもよい。このとき、全面タッチスクリーン１２０の表示領域は、第１分割ラインによって上下表示領域（すなわち、上側表示領域と下側表示領域）で分割されてもよく、第２分割ラインによって左右表示領域（すなわち、左側表示領域と右側表示領域）で分割されてもよい。一方、左側面タッチセンサ１４０−１１の第１タッチ地点と右側面タッチセンサ１４０−１２の第２タッチ地点が移動した以後に、既設定された非活性化時間が経過すると、全面タッチスクリーン１２０上で第１分割ラインは、非表示になってもよい。すなわち、全面タッチスクリーン１２０上で第１分割ラインが消える。同様に、上側面タッチセンサ１４０−２１の第３タッチ地点と下側面タッチセンサ１４０−２２の第４タッチ地点が移動した以後に、既設定された非活性化時間が経過すると、全面タッチスクリーン１２０上で第２分割ラインは非表示になってもよい。すなわち、全面タッチスクリーン１２０上で第２分割ラインが消える。
【００４２】
また他の実施例において、全面タッチスクリーン１２０の表示領域が第１分割ラインによって上下表示領域で分割された状態で、使用者によって左側面タッチセンサ１４０−１１と右側面タッチセンサ１４０−１２が既設定された活性化時間以上、同時にタッチされると、全面タッチスクリーン１２０上に第１分割ラインが再び表示されてもよい。以後、使用者によって左側面タッチセンサ１４０−１１の第１タッチ地点と右側面タッチセンサ１４０−１２の第２タッチ地点とが移動されることにより、上下表示領域が変形（すなわち、上下表示領域の、領域の大きさが相対的に変更）できる。同様に、全面タッチスクリーン１２０の表示領域が第２分割ラインによって左右表示領域で分割された状態で、上側面タッチセンサ１４０−２１と下側面タッチセンサ１４０−２２が既設定された活性化時間以上、同時にタッチされると、全面タッチスクリーン１２０上に第２分割ラインが再び表示されてもよい。以後、使用者によって上側面タッチセンサ１４０−２１の第３タッチ地点と下側面タッチセンサ１４０−２２の第４タッチ地点が移動されることにより、左右表示領域が変形（すなわち、左右表示領域の、領域の大きさが相対的に変更）してもよい。さらに、全面タッチスクリーン１２０の表示領域が第１分割ラインと第２分割ラインによって左右表示領域と上下表示領域で分割された状態で、使用者によって左側面タッチセンサ１４０−１１、右側面タッチセンサ１４０−１２、上側面タッチセンサ１４０−２１または、下側面タッチセンサ１４０−２２が既設定された活性化時間以上、タッチされると、全面タッチスクリーン１２０上で第１分割ラインまたは、第２分割ラインが部分的に再び表示されてもよい。つまり、第１分割ライン又は第２分割ラインは、表示領域の対向する辺の端から端に亘るラインではなく、端から端に渡るラインの一部によって再び表示されてもよい。以後、使用者によって左側面タッチセンサ１４０−１１の第１タッチ地点、右側面タッチセンサ１４０−１２の第２タッチ地点、上側面タッチセンサ１４０−２１の第３タッチ地点または、下側面タッチセンサ１４０−２２の第４タッチ地点が移動されることにより、左右表示領域または、上下表示領域が変形（すなわち、左右表示領域または、上下表示領域の、領域の大きさが相対的に変更）してもよい。
【００４３】
また他の実施例において、全面ディスプレイ１２０の表示領域が第１分割ラインと第２分割ラインによって左右表示領域と上下表示領域で分割された状態で、使用者によって左側面タッチセンサ１４０−１１と右側面タッチセンサ１４０−１２が位置的に交錯して既設定された活性化時間以上、同時にタッチされてもよい。なお、位置的に交錯しているとは、左側面タッチセンサ１４０−１１のタッチ位置と右側面タッチセンサ１４０−１２のタッチ位置とが、上下方向において同位置では無いことを意味する。例えば、左側面タッチセンサ１４０−１１のタッチ位置の上下方向が、右側面タッチセンサ１４０−１２のタッチ位置の上下方向よりも高い場合が挙げられる。又、左側面タッチセンサ１４０−１１のタッチ位置の上下方向が、右側面タッチセンサ１４０−１２のタッチ位置の上下方向よりも低い場合が挙げられる。
【００４４】
または、全面ディスプレイ１２０の表示領域が第１分割ラインと第２分割ラインによって左右表示領域と上下表示領域で分割された状態で、使用者によって上側面タッチセンサ１４０−２１と下側面タッチセンサ１４０−２２が位置的に交錯して既設定された活性化時間以上、同時にタッチされると、全面タッチスクリーン１２０上に第１分割ラインと第２分割ラインが再び表示されてもよい。位置的に交錯しているとは、上側面タッチセンサ１４０−２１のタッチ位置と下側面タッチセンサ１４０−２のタッチ位置とが、左右方向において同位置では無いことを意味する。例えば、上側面タッチセンサ１４０−２１のタッチ位置の左右方向が、下側面タッチセンサ１４０−２のタッチ位置の左右方向よりも右側の場合が挙げられる。又、上側面タッチセンサ１４０−２１のタッチ位置の左右方向が、下側面タッチセンサ１４０−２のタッチ位置の左右方向よりも左側の場合が挙げられる。
【００４５】
例えば、使用者によって上側面タッチセンサ１４０−２１と下側面タッチセンサ１４０−２２が位置的に交錯して既設定された活性化時間以上、同時にタッチされると、全面タッチスクリーン１２０上に第１分割ラインと第２分割ラインが再び表示されてもよい。以後、使用者によって左側面タッチセンサ１４０−１１の第１タッチ地点、右側面タッチセンサ１４０−１２の第２タッチ地点、上側面タッチセンサ１４０−２１の第３タッチ地点または、下側面タッチセンサ１４０−２２の第４タッチ地点が移動されることにより、全面タッチスクリーン１２０の分割された表示領域（すなわち、左右表示領域と上下表示領域）が第１分割ラインと第２分割ラインとの交差点を中心に回転して移動してもよい。
【００４６】
また他の実施例において、全面タッチスクリーン１２０の表示領域が、第１分割ラインと第２分割ラインとによって左右表示領域と上下表示領域とで分割された状態で、使用者によって、左側面タッチセンサ１４０−１１または右側面タッチセンサ１４０−１２と、上側面タッチセンサ１４０−２１または下側面タッチセンサ１４０−２２とが既設定された活性化時間以上、同時にタッチされると、全面タッチスクリーン１２０上に第１分割ラインと第２分割ラインが再び表示されてもよい。例えば、使用者によって右側面タッチセンサ１４０−１２と下側面タッチセンサ１４０−２２が既設定された活性化時間以上、同時にタッチされると、全面タッチスクリーン１２０上に第１分割ラインと第２分割ラインとが再び表示されてもよい。以後、使用者によって全面タッチスクリーン１２０がタッチされて分割された表示領域（すなわち、左右表示領域と上下表示領域）中から対象領域が決定されてもよい。したがって、使用者によって左側面タッチセンサ１４０−１１の第１タッチ地点、右側面タッチセンサ１４０−１２の第２タッチ地点、上側面タッチセンサ１４０−２１の第３タッチ地点または、下側面タッチセンサ１４０−２２の第４タッチ地点が移動されることにより、前記対象領域がズームイン（ｚｏｏｍ−ｉｎ）または、ズームアウト（ｚｏｏｍ−ｏｕｔ）できる。
【００４７】
本体１６０には、全面タッチスクリーン１２０及び側面タッチセンサ１４０が設けられてもよい。上述したように、全面タッチスクリーン１２０は表示パネルとタッチセンシングパネルを備えるので、本体１６０は、これらを制御するためのコントローラ（例えば、表示コントローラとタッチセンシングコントローラ）を含んでもよい。したがって、コントローラは全面タッチスクリーン１２０の表示機能とタッチセンシング機能を制御してもよい。また、本体１６０は、側面タッチセンサ１４０を通じて入力された使用者命令を処理するプロセッサ１６２を含んでもよい。実施例により、本体１６０は、側面タッチセンサ１４０のみでなく全面タッチスクリーン１２０を通じても使用者命令を入力されることができる。プロセッサ１６２は、特定計算または、タスク（ｔａｓｋ）を行うことによって電子機器１００の全般的な動作を制御してもよい。例えば、プロセッサ１６２は、マイクロプロセッサ（ｍｉｃｒｏ  ｐｒｏｃｅｓｓｏｒ）、中央処理装置（ｃｅｎｔｒａｌ  ｐｒｏｃｅｓｓｉｎｇ  ｕｎｉｔ；ＣＰＵ）等を含めるがそれに限定されない。さらに、本体１６０は、センサ、メモリ装置、保存装置、機能装置などをさらに含んでもよい。センサは、電子機器１００の多様なセンシング機能を行うことができる。例えば、センサは、回転角速度を測定するジャイロセンサ、速度および運動量を測定する加速度センサ、羅針盤機能を行う地磁界センサ、高度を測定する気圧計センサ、動作認識、接近探知、光源区別などを行うジェスチャー−近接−照度−ＲＧＢセンサ、温度と湿度を測定する温度−湿度センサ、使用者がモバイル機器を手に握ったかどうかを判断するグリップセンサなどを含んでもよいがそれに限定されない。
【００４８】
メモリ装置は、電子機器１００の動作に必要なデータを保存してもよい。例えば、メモリ装置は、ＥＰＲＯＭ（Ｅｒａｓａｂｌｅ  Ｐｒｏｇｒａｍｍａｂｌｅ  Ｒｅａｄ−Ｏｎｌｙ  ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  ｍｅｍｏｒｙ）、フラッシュメモリ（Ｆｌａｓｈ  Ｍｅｍｏｒｙ）、ＰＲＡＭ（Ｐｈａｓｅ  Ｃｈａｎｇｅ  Ｒａｎｄｏｍ  Ａｃｃｅｓｓ  Ｍｅｍｏｒｙ）、ＲＲＡＭ（登録商標）(Ｒｅｓｉｓｔａｎｃｅ  Ｒａｎｄｏｍ  Ａｃｃｅｓｓ  Ｍｅｍｏｒｙ）、ＮＦＧＭ（Ｎａｎｏ  Ｆｌｏａｔｉｎｇ  Ｇａｔｅ  ｍｅｍｏｒｙ）、ＰｏＲＡＭ（Ｐｏｌｙｍｅｒ  Ｒａｎｄｏｍ  Ａｃｃｅｓｓ  Ｍｅｍｏｒｙ）、ＭＲＡＭ（Ｍａｇｎｅｔｉｃ  ｒａｎｄｏｍ  Ａｃｃｅｓｓ  ｍｅｍｏｒｙ）、ＦＲＡＭ（登録商標）（Ｆｅｒｒｏｅｌｅｃｔｒｉｃ  ｒａｎｄｏｍ  Ａｃｃｅｓｓ  ｍｅｍｏｒｙ）等と同様の不揮発性メモリ装置および/またはＤＲＡＭ（Ｄｙｎａｍｉｃ  ｒａｎｄｏｍ  Ａｃｃｅｓｓ  ｍｅｍｏｒｙ）、ＳＲＡＭ（Ｓｔａｔｉｃ  ｒａｎｄｏｍ  Ａｃｃｅｓｓ  ｍｅｍｏｒｙ）、モバイルＤＲＡＭなどと同様な揮発性メモリ装置を含んでもよい。保存装置は、ソリッドステートドライブ（Ｓｏｌｉｄ  Ｓｔａｔｅ  Ｄｒｉｖｅ；ＳＳＤ）、ハードディスクドライブ（Ｈａｒｄ  Ｄｉｓｋ  Ｄｒｉｖｅ；ＨＤＤ）、シディロム（ＣＤ−ＲＯＭ）等を含んでもよい。機能装置は、電子機器１００の多様な機能を行ってもよい。例えば、機能装置は、カメラ機能を行うためのカメラ、通信機能を行うための通信装置（例えば、ＣＤＭＡ（ｃｏｄｅ  ｄｉｖｉｓｉｏｎ  ｍｕｌｔｉｐｌｅ  ａｃｃｅｓｓ）モジュール、ＬＴＥ（ｌｏｎｇ  ｔｅｒｍ  ｅｖｏｌｕｔｉｏｎ）モジュール、ＲＦ（ｒａｄｉｏ  ｆｒｅｑｕｅｎｃｙ）モジュール、ＵＷＢ（ｕｌｔｒａ  ｗｉｄｅｂａｎｄ）モジュール、ＷＬＡＮ（ｗｉｒｅｌｅｓｓ  ｌｏｃａｌ  ａｒｅａ  ｎｅｔｗｏｒｋ）モジュール、ＷＩＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）モジュールなど）、ＧＰＳ（ｇｌｏｂａｌ  ｐｏｓｉｔｉｏｎｉｎｇ  ｓｙｓｔｅｍ）装置、マイク装置、スピーカー装置などを含めるがそれに限定されない。
【００４９】
このように、電子機器１００は、使用者命令を入力される側面タッチセンサ１４０を備えている。そして、使用者によって側面タッチセンサ１４０のうち、少なくとも一つ以上が既設定された活性化時間以上、タッチされる動作、および使用者によって側面タッチセンサそれぞれのタッチ地点がドラッグされて移動する動作に基づいて、電子機器１００は使用者命令を入力される、つまり受け付ける。このような電子機器１００の機能により、使用者は、使用者命令を詳細かつ正確に入力することができる。言い換えれば、電子機器１００が新しいユーザインターフェースを採用することによって、使用者は使用者命令を詳細かつ正確に入力することができる。一方、上記では電子機器１００が腕時計型モバイル機器すなわち、スマートウォッチであると説明されているが、電子機器１００の種類は、それに限定されるのではない。例えば、電子機器１００は、携帯電話、スマートフォン、スマートパッド、ピディエイ（ｐｅｒｓｏｎａｌ  ｄｉｇｉｔａｌ  ａｓｓｉｓｔａｎｔｓ；ＰＤＡ）、Ｐ．Ｍ．Ｐ．（ｐｏｒｔａｂｌｅ  ｍｕｌｔｉｍｅｄｉａ  ｐｌａｙｅｒ；ＰＭＰ）、ＭＰ３プレーヤー、タブレット（ｔａｂｌｅｔ）、ノートブック、デジタルカメラ、ビデオカメラ、携帯用ゲーム機等で具現されてもよい。一方、上記では電子機器１００に適用される使用者入力の多様な実施例が説明されているが、これらは例示的なものに過ぎないこととして、電子機器１００に適用される使用者入力は本発明の技術的思想を逸脱しない範囲で多様に修正および変更されてもよい。
【００５０】
図４は、図１の電子機器でクリック動作が実行される過程を示す手順図であり、図５乃至図８は、図１の電子機器でクリック動作が実行される一例を示す図面であり、図９は、図１の電子機器でクリック動作がマウス装置の左クリック動作と右クリック動作に区分される一例を示す図である。
【００５１】
図４乃至図９を参照すると、図１の電子機器１００で実行されるクリック動作（ＣＫ）が図示されている。具体的に、図５および図６に図示されたように、使用者によって、左側面タッチセンサ１４０−１１または右側面タッチセンサ１４０−１２と、上側面タッチセンサ１４０−２１または下側面タッチセンサ１４０−２２と、が既設定された活性化時間以上、同時にタッチ（Ｓｔｅｐ  Ｓ１２０）されると、全面タッチスクリーン１２０上に、左側面タッチセンサ１４０−１１または右側面タッチセンサ１４０−１２の第１タッチ地点から延びた第１ポインタライン１２２−１と、上側面タッチセンサ１４０−２１または下側面タッチセンサ１４０−２２の第２タッチ地点から延びた第２ポインタライン１２２−２とが表示されてもよく、第１ポインタライン１２２−１と第２ポインタライン１２２−２が接する地点にポインタ１２１が表示されてもよい。言い換えれば、使用者が左側面タッチセンサ１４０−１１と右側面タッチセンサ１４０−１２のうちの一つと、上側面タッチセンサ１４０−２１と下側面タッチセンサ１４０−２２のうちの一つと、を既設定された活性化時間以上、同時にタッチすると、ポインタ１２１、第１ポインタライン１２２−１および第２ポインタライン１２２−２が全面タッチスクリーン１２０上に表示される。ただし、図５および図６では、使用者によって右側面タッチセンサ１４０−１２と下側面タッチセンサ１４０−２２が同時にタッチされることによって、全面タッチスクリーン１２０上に右側面タッチセンサ１４０−１２の第１タッチ地点から延びた第１ポインタライン１２２−１と下側面タッチセンサ１４０−２２の第２タッチ地点から延びた第２ポインタライン１２２−２が表示され、第１ポインタライン１２２−１と第２ポインタライン１２２−２が接する地点にポインタ１２１が表示されている例が図示されている。
【００５２】
以後、図７に図示されたように、使用者によって、左側面タッチセンサ１４０−１１または右側面タッチセンサ１４０−１２の第１タッチ地点と、上側面タッチセンサ１４０−２１または下側面タッチセンサ１４０−２２の第２タッチ地点がと、移動（Ｓｔｅｐ  Ｓ１４０）されることにより、全面タッチスクリーン１２０上でポインタ１２１、第１ポインタライン１２２−１および第２ポインタライン１２２−２が移動してもよい。このとき、ポインタ１２１、第１ポインタライン１２２−１および第２ポインタライン１２２−２は、使用者のドラッグ方向によって移動してもよい。すなわち、使用者は、左側面タッチセンサ１４０−１１または右側面タッチセンサ１４０−１２の第１タッチ地点と、上側面タッチセンサ１４０−２１または下側面タッチセンサ１４０−２２の第２タッチ地点と、を移動させることによって、左側面タッチセンサ１４０−１１または右側面タッチセンサ１４０−１２の第１タッチ地点から延びた第１ポインタライン１２２−１と、上側面タッチセンサ１４０−２１または下側面タッチセンサ１４０−２２の第２タッチ地点から延びた第２ポインタライン１２２−２とを移動させることができ、それによりこれらの交差点に位置するポインタ１２１が移動してもよい。すなわち、使用者は、全面タッチスクリーン１２０上に表示されたポインタ１２１、第１ポインタライン１２２−１および第２ポインタライン１２２−２を確認し、側面タッチセンサ１４０それぞれのタッチ地点をドラッグする方式でポインタ１２１を全面タッチスクリーン１２０上の所望の地点に位置させることができる。ただし、図７では、右側面タッチセンサ１４０−１２の第１タッチ地点と、下側面タッチセンサ１４０−２２の第２タッチ地点とが移動することにより、ポインタ１２１、第１ポインタライン１２２−１および第２ポインタライン１２２−２が移動する例が図示されている。
【００５３】
以後、図８に図示されたように、全面タッチスクリーン１２０上にポインタ１２１、第１ポインタライン１２２−１および第２ポインタライン１２２−２が表示されている間に、使用者によって全面タッチスクリーン１２０がタッチ（Ｓｔｅｐ  Ｓ１６０）されると、本体１６０に備わったプロセッサ１６２は、ポインタ１２１が指示するコンテンツに対するクリック動作（ＣＫ）を行ってもよい。このとき、図９に図示されたように、ポインタ１２１から既設定された距離以内の第１領域（ＩＲ）がタッチされると、本体１６０に備わったプロセッサ１６２は、コンテンツに対する第１クリック動作を行ってもよく、ポインタ１２１から既設定された距離を逸脱した第２領域（ＯＲ）がタッチされると、本体１６０に備わったプロセッサ１６２は、コンテンツに対する第２クリック動作を行ってもよい。例えば、コンテンツに対する第１クリック動作はマウス装置の左クリック動作に相応してもよく、コンテンツに対する第２クリック動作はマウス装置の右クリック動作に相応してもよい。ただし、それは例示的なものとして、第１クリック動作と第２クリック動作が実行される方式、第１クリック動作と第２クリック動作の内容などは多様に設計変更されてもよい。一方、左側面タッチセンサ１４０−１１または右側面タッチセンサ１４０−１２の第１タッチ地点と、上側面タッチセンサ１４０−２１または下側面タッチセンサ１４０−２２の第２タッチ地点とが移動した以後に、既設定された非活性化時間が経過すると、全面タッチスクリーン１２０上でポインタ１２１、第１ポインタライン１２２−１および第２ポインタライン１２２−２が消えて、クリック動作（ＣＫ）のためのポインタ１２１移動は終了してもよい。
【００５４】
図１０は、図１の電子機器でドラッグ動作が実行される過程を示す手順図であり、図１１乃至図１４は、図１の電子機器でドラッグ動作が実行される一例を示す図である。
【００５５】
図１０乃至図１４を参照すると、図１の電子機器１００で実行されるドラッグ動作が図示されている。具体的に、図１１および図１２に図示されたように、使用者によって全面タッチスクリーン１２０上に表示されたポインタ１２１、第１ポインタライン１２２−１および第２ポインタライン１２２−２が移動してドラッグ動作の開始点（ＤＳ）が決定（Ｓｔｅｐ  Ｓ２２０）できる。図１１、図１２の場合、第１ポインタライン１２２−１と第２ポインタライン１２２−２との交差地点であるポインタ１２１を中心として、所定距離領域内が開始点（ＤＳ）に指定されている。
【００５６】
以後、図１２および図１３に図示されたように、使用者による側面タッチセンサ１４０に対するタッチが解除（Ｓｔｅｐ  Ｓ２４０）なって、既設定された再活性化時間内に、左側面タッチセンサ１４０−１１または右側面タッチセンサ１４０−１２と、上側面タッチセンサ１４０−２１または下側面タッチセンサ１４０−２２とが再びタッチ（Ｓｔｅｐ  Ｓ２６０）できる。つまり、図１２で開始点（ＤＳ）が指摘された後、再活性化時間内に図１３に示すように使用者が側面タッチセンサ１４０をタッチする。
【００５７】
以後、図１４に図示されたように、使用者によって、左側面タッチセンサ１４０−１１または右側面タッチセンサ１４０−１２の第１タッチ地点と、上側面タッチセンサ１４０−２１または下側面タッチセンサ１４０−２２の第２タッチ地点とが移動（Ｓｔｅｐ  Ｓ２８０）されると、左側面タッチセンサ１４０−１１または右側面タッチセンサ１４０−１２の第１タッチ地点が移動した距離、および上側面タッチセンサ１４０−２１または下側面タッチセンサ１４０−２２の第２タッチ地点が移動した距離に基づいてドラッグ領域１２３が設定されてもよい。すなわち、使用者によって、左側面タッチセンサ１４０−１１または右側面タッチセンサ１４０−１２の第１タッチ地点と、上側面タッチセンサ１４０−２１または下側面タッチセンサ１４０−２２の第２タッチ地点とが移動されることによってコンテンツに対するドラッグ動作が実行される。ただし、図１４では、右側面タッチセンサ１４０−１２の第１タッチ地点と下側面タッチセンサ１４０−２２の第２タッチ地点が移動することによりコンテンツに対するドラッグ動作が実行される例が図示されている。つまり、再活性化時間内に図１３、図１４に示すように使用者が右側面タッチセンサ１４０−１２の第１タッチ地点を下方に操作し、下側面タッチセンサ１４０−２２の第２タッチ地点を右方に操作すると、最初の開始点（ＤＳ）からの移動距離分に相当する領域が選択状態となる。
【００５８】
図１５は、図１の電子機器で領域分割動作が実行される過程を示す手順図であり、図１６乃至図１９は、図１の電子機器で領域分割動作が実行される一例を示す図面であり、図２０乃至図２３は、図１の電子機器で領域分割動作が実行される他の例を示す図である。
【００５９】
図１５乃至図２３を参照すると、図１の電子機器１００で実行される領域分割動作が図示されている。具体的に、図１６および図１７に図示されたように、使用者によって左側面タッチセンサ１４０−１１と右側面タッチセンサ１４０−１２とが既設定された活性化時間以上、同時にタッチ（Ｓｔｅｐ  Ｓ３２０）されると、全面タッチスクリーン１２０上に左側面タッチセンサ１４０−１１の第１タッチ地点と右側面タッチセンサ１４０−１２の第２タッチ地点を接続する第１分割ライン１２４が表示されてもよい。以後、図１８に図示されたように、使用者によって左側面タッチセンサ１４０−１１の第１タッチ地点と右側面タッチセンサ１４０−１２の第２タッチ地点が移動（Ｓｔｅｐ  Ｓ３４０）されることにより、全面タッチスクリーン１２０上で第１分割ライン１２４が移動してもよい。図１８では、使用者は、左側面タッチセンサ１４０−１１の第１タッチ地点と右側面タッチセンサ１４０−１２の第２タッチ地点とを共に上方に移動している。
【００６０】
以後、図１９に図示されたように、使用者によって左側面タッチセンサ１４０−１１と右側面タッチセンサ１４０−１２に対するタッチが解除（Ｓｔｅｐ  Ｓ３６０）されると、全面タッチスクリーン１２０の表示領域は、第１分割ライン１２４によって上下表示領域に分割されてもよい。一方、使用者によって左側面タッチセンサ１４０−１１と右側面タッチセンサ１４０−１２に対するタッチが解除される前においても、左側面タッチセンサ１４０−１１の第１タッチ地点と右側面タッチセンサ１４０−１２の第２タッチ地点が移動した以後、既設定された非活性化時間が経過すると、全面タッチスクリーン１２０上で第１分割ライン１２４は、消えてもよい。
【００６１】
同様に、図２０および図２１に図示されたように、使用者によって、上側面タッチセンサ１４０−２１と下側面タッチセンサ１４０−２２とが既設定された活性化時間以上、同時にタッチ（Ｓｔｅｐ  Ｓ３２０）されると、全面タッチスクリーン１２０上に上側面タッチセンサ１４０−２１の第３タッチ地点と下側面タッチセンサ１４０−２２の第４タッチ地点とを接続する第２分割ライン１２５が表示されてもよい。以後、図２２に図示されたように、使用者によって上側面タッチセンサ１４０−２１の第３タッチ地点と下側面タッチセンサ１４０−２２の第４タッチ地点とが移動（Ｓｔｅｐ  Ｓ３４０）されることにより、全面タッチスクリーン１２０上で第２分割ライン１２５が移動してもよい。図２２では、使用者は、上側面タッチセンサ１４０−２１の第３タッチ地点と下側面タッチセンサ１４０−２２の第４タッチ地点とを共に左方に移動している。
【００６２】
以後、図２３に図示されたように、使用者によって上側面タッチセンサ１４０−２１と下側面タッチセンサ１４０−２２とに対するタッチが解除（Ｓｔｅｐ  Ｓ３６０）されると、全面タッチスクリーン１２０の表示領域は、第２分割ライン１２５によって左右表示領域に分割されてもよい。一方、使用者によって上側面タッチセンサ１４０−２１と下側面タッチセンサ１４０−２２に対するタッチが解除される前においても、上側面タッチセンサ１４０−２１の第３タッチ地点と下側面タッチセンサ１４０−２２の第４タッチ地点とが移動した以後、既設定された非活性化時間が経過すると、全面タッチスクリーン１２０上で第２分割ライン１２５は消えてもよい。
【００６３】
図２４は、図１の電子機器で領域分割動作が部分的に実行される過程を示す手順図であり、図２５乃至図２８は、図１の電子機器で領域分割動作が部分的に実行される一例を示す図である。
【００６４】
図２４乃至図２８を参照すると、図１の電子機器１００で部分的に実行される領域分割動作が図示されている。具体的に、図２５および図２６に図示されたように、全面タッチスクリーン１２０の表示領域が上下表示領域で分割された状態で、使用者によって、上側面タッチセンサ１４０−２１または下側面タッチセンサ１４０−２２が既設定された活性化時間以上、タッチ（Ｓｔｅｐ  Ｓ４２０）されると、全面タッチスクリーン１２０上で。上側表示領域または下側表示領域に部分的な分割ライン１２６が表示されてもよい。ただし、図２５および図２６では、上側面タッチセンサ１４０−２１が既設定された活性化時間以上、タッチされて、上側表示領域に部分的な分割ライン１２６が表示された例が図示されている。特に、図２５、図２６では、全面タッチスクリーン１２０の表示領域が上下表示領域で分割された状態で、使用者によって、上側面タッチセンサ１４０−２１が操作されており、上下表示領域のうち上表示領域に部分的な分割ライン１２６が表示されている。
【００６５】
以後、図２７に図示されたように、使用者によって、上側面タッチセンサ１４０−２１または下側面タッチセンサ１４０−２２のタッチ地点が移動（Ｓｔｅｐ  Ｓ４４０）されることにより、部分的な分割ライン１２６が移動して上側表示領域または下側表示領域が左右分割領域で分割されてもよい。ただし、図２７では上側表示領域が部分的な分割ライン１２６により左右分割領域で分割された例が図示されている。以後、図２８に図示されたように、使用者によって、上側面タッチセンサ１４０−２１または下側面タッチセンサ１４０−２２に対するタッチが解除（Ｓｔｅｐ  Ｓ４６０）されると、上側表示領域または、下側表示領域に対する領域分割動作が終了してもよい。ただし、図１の電子機器１００で部分的に実行される領域分割動作は、これに限定されるのではない。例えば、上述した説明された方式で左側表示領域（または、右側表示領域）が上下表示領域から分割されてもよく、上下表示領域（または、左右表示領域）が左右表示領域（または、上下表示領域）に同時に分割されてもよい。
【００６６】
図２９は、図１の電子機器で領域変形動作が実行される過程を示す手順図であり、図３０乃至図３３は、図１の電子機器で領域変形動作が実行される一例を示す図である。
【００６７】
図２９乃至図３３を参照すると、図１の電子機器１００で実行される領域変形動作が図示されている。具体的に、図３０および図３１に図示されたように、全面タッチスクリーン１２０の表示領域が上下表示領域と左右表示領域で分割された状態で、使用者によって上側面タッチセンサ１４０−２１と下側面タッチセンサ１４０−２２とが既設定された活性化時間以上、同時にタッチ（Ｓｔｅｐ  Ｓ５２０）されると、全面タッチスクリーン１２０上に左右分割ライン（１２７）が再び表示されてもよい。このとき、上側面タッチセンサ１４０−２１と下側面タッチセンサ１４０−２２のタッチ位置は、左右分割ライン（１２７）に対応する位置でなくてもよいし、対応する位置であってもよい。
【００６８】
以後、図３２に図示されたように、使用者によって上側面タッチセンサ１４０−２１のタッチ地点と下側面タッチセンサ１４０−２２のタッチ地点が移動（Ｓｔｅｐ  Ｓ５４０）されることにより、左右表示領域が変形（すなわち、左右表示領域の、領域の大きさが相対的に変更）できる。図３２、図３３の例では、上側面タッチセンサ１４０−２１と下側面タッチセンサ１４０−２２のタッチ位置が右方へ移動されることで、左右分割ライン（１２７）が右方へ移動されている。
【００６９】
以後、図３３に図示されたように、使用者によって上側面タッチセンサ１４０−２１と下側面タッチセンサ１４０−２２に対するタッチが解除（Ｓｔｅｐ  Ｓ５６０）されると、左右表示領域に対する領域変形動作は終了してもよい。
【００７０】
同様に、図示してないが、全面タッチスクリーン１２０の表示領域が上下表示領域と左右表示領域で分割された状態で、使用者によって左側面タッチセンサ１４０−１１と右側面タッチセンサ１４０−１２が既設定された活性化時間以上、同時にタッチされると、全面タッチスクリーン１２０上に、上下分割ラインが表示されてもよく、使用者によって左側面タッチセンサ１４０−１１のタッチ地点と右側面タッチセンサ１４０−１２のタッチ地点が移動されることにより、上下表示領域が変形（すなわち、上下表示領域の、領域の大きさが相対的に変更）できる。以後、使用者によって左側面タッチセンサ１４０−１１と右側面タッチセンサ１４０−１２に対するタッチが解除されると、上下表示領域に対する領域変形動作は終了してもよい。
【００７１】
図３４は、図１の電子機器で領域変形動作が部分的に実行される過程を示す手順図であり、図３５乃至図３８は、図１の電子機器で領域変形動作が部分的に実行される一例を示す図である。
【００７２】
図３４乃至図３８を参照すると、図１の電子機器１００で部分的に実行される領域変形動作が図示されている。具体的に、図３５および図３６に図示されたように、全面タッチスクリーン１２０の表示領域が左右表示領域と上下表示領域で分割された状態で、使用者によって左側面タッチセンサ１４０−１１、右側面タッチセンサ１４０−１２、上側面タッチセンサ１４０−２１または、下側面タッチセンサ１４０−２２が既設定された活性化時間以上、タッチ（Ｓｔｅｐ  Ｓ６２０）されると、全面タッチスクリーン１２０上に部分的な分割ライン１２８が表示されてもよい。ただし、図３５および図３６では、上側面タッチセンサ１４０−２１が既設定された活性化時間以上、タッチされて上側表示領域に部分的な分割ライン１２８が表示された例が図示されている。
【００７３】
以後、図３７に図示されたように、使用者によって左側面タッチセンサ１４０−１１、右側面タッチセンサ１４０−１２、上側面タッチセンサ１４０−２１または、下側面タッチセンサ１４０−２２のタッチ地点が移動（Ｓｔｅｐ  Ｓ６４０）されることにより、表示領域ごとに（例えば、上側表示領域、下側表示領域、左側表示領域または、右側表示領域）領域変形動作が実行されてもよい。ただし、図３７では上側表示領域における左右表示領域が変形（すなわち、上側表示領域における左右表示領域の、領域の大きさが相対的に変更）される例が図示されている。
【００７４】
以後、図３８に図示されたように、使用者によって左側面タッチセンサ１４０−１１、右側面タッチセンサ１４０−１２、上側面タッチセンサ１４０−２１または、下側面タッチセンサ１４０−２２に対するタッチが解除（Ｓｔｅｐ  Ｓ６６０）されると、表示領域ごとに（例えば、上側表示領域、下側表示領域、左側表示領域または、右側表示領域）実行される領域変形動作が終了してもよい。
【００７５】
図３９は、図１の電子機器で領域移動動作が実行される過程を示す手順図であり、図４０乃至図４３は、図１の電子機器で領域移動動作が実行される一例を示す図である。
【００７６】
図３９乃至図４３を参照すると、図１の電子機器１００で実行される領域移動動作が図示されている。具体的に、図４０および図４１に図示されたように、全面ディスプレイ１２０の表示領域が左右表示領域と上下表示領域とに分割された状態で、左側面タッチセンサ１４０−１１と右側面タッチセンサ１４０−１２とが位置的に交錯して既設定された活性化時間以上、同時にタッチ（Ｓｔｅｐ  Ｓ６２０）されると、全面タッチスクリーン１２０上に第１分割ライン１２９−１と第２分割ライン１２９−２が再び表示されてもよい。または、全面ディスプレイ１２０の表示領域が左右表示領域と上下表示領域とに分割された状態で、上側面タッチセンサ１４０−２１と下側面タッチセンサ１４０−２２とが位置的に交錯して既設定された活性化時間以上、同時にタッチ（Ｓｔｅｐ  Ｓ７２０）されると、全面タッチスクリーン１２０上に第１分割ライン１２９−１と第２分割ライン１２９−２が再び表示されてもよい。
【００７７】
すなわち、全面タッチスクリーン１２０上において、第１分割ライン１２９−１と第２分割ライン１２９−２によって、表示領域が第１乃至第４表示領域（ＦＡ、ＳＡ、ＴＡ、ＰＡ）に区分されてもよい。
【００７８】
ただし、図４０および図４１では、左側面タッチセンサ１４０−１１と右側面タッチセンサ１４０−１２が位置的に交錯して既設定された活性化時間以上、同時にタッチされたと図示されている。
【００７９】
以後、図４２に図示されたように、使用者によって左側面タッチセンサ１４０−１１のタッチ地点と右側面タッチセンサ１４０−１２のタッチ地点が移動（Ｓｔｅｐ  Ｓ７４０）されてもよく、または、上側面タッチセンサ１４０−２１と下側面タッチセンサ１４０−２２のタッチ地点が移動（Ｓｔｅｐ  Ｓ７４０）されることにより、全面タッチスクリーン１２０上に表示された第１乃至第４表示領域（ＦＡ、ＳＡ、ＴＡ、ＰＡ）が第１分割ライン１２９−１と第２分割ライン１２９−２の交差点を中心に回転して移動してもよい。ただし、図４２では左側面タッチセンサ１４０−１１のタッチ地点と右側面タッチセンサ１４０−１２のタッチ地点が移動する例が図示されている。図４１、図４２の例では、左側面タッチセンサ１４０−１１のタッチ地点が上方に移動され、右側面タッチセンサ１４０−１２のタッチ地点が下方に移動されることで、第１分割ライン１２９−１と第２分割ライン１２９−２の交差点を中心に、各表示領域が時計方向に移動している。また、例えば、左側面タッチセンサ１４０−１１のタッチ地点が下方に移動され、右側面タッチセンサ１４０−１２のタッチ地点が上方に移動されることで、各表示領域が反時計方向に移動してもよい。また、例えば、上側面タッチセンサ１４０−２１のタッチ地点が右方に移動され、下側面タッチセンサ１４０−２２のタッチ地点が左方に移動されることで、各表示領域が時計方向に移動してもよい。また、例えば、上側面タッチセンサ１４０−２１のタッチ地点が左方に移動され、下側面タッチセンサ１４０−２２のタッチ地点が右方に移動されることで、各表示領域が反時計方向に移動してもよい。
【００８０】
以後、図４３に図示されたように、使用者によって側面タッチセンサ１４０に対するタッチが解除（Ｓｔｅｐ  Ｓ７６０）されると、第１乃至第４表示領域（ＦＡ、ＳＡ、ＴＡ、ＰＡ）に対する領域移動動作は終了してもよい。
【００８１】
図４４は、図１の電子機器で領域ズーミング動作が実行される過程を示す手順図であり、図４５乃至図４９は、図１の電子機器で領域ズーミング動作が実行される一例を示す図である。
【００８２】
図４４乃至図４９を参照すると、図１の電子機器１００で実行される領域ズーミング動作が図示されている。具体的に、図４５に図示されたように、全面タッチスクリーン１２０の表示領域が左右表示領域と上下表示領域で分割された状態で、使用者によって、左側面タッチセンサ１４０−１１または右側面タッチセンサ１４０−１２と、上側面タッチセンサ１４０−２１または下側面タッチセンサ１４０−２２とが既設定された活性化時間以上、同時にタッチ（Ｓｔｅｐ  Ｓ８２０）されると、全面タッチスクリーン１２０上に第１分割ライン１２９−１と第２分割ライン１２９−２が再び表示されてもよい。ただし、図４５では、右側面タッチセンサ１４０−１２と下側面タッチセンサ１４０−２２が既設定された活性化時間以上、同時にタッチされた例が図示されている。以後、図４６に図示されたように、使用者によって全面タッチスクリーン１２０がタッチされて分割された表示領域中から対象領域（ＭＡ）が決定（Ｓｔｅｐ  Ｓ８４０）できる。
【００８３】
以後、図４７および図４８に図示されたように、使用者によって左側面タッチセンサ１４０−１１、右側面タッチセンサ１４０−１２、上側面タッチセンサ１４０−２１または、下側面タッチセンサ１４０−２２のタッチ地点が移動（Ｓｔｅｐ  Ｓ８６０）されることにより、前記対象領域（ＭＡ）は、ズームインまたは、ズームアウトできる。ただし、図４７および図４８では、右側面タッチセンサ１４０−１２のタッチ地点が移動された例が図示されている。以後、図４９に図示されたように、使用者によって左側面タッチセンサ１４０−１１または右側面タッチセンサ１４０−１２と、上側面タッチセンサ１４０−２１または下側面タッチセンサ１４０−２２とが既設定された非活性化時間以上、同時にタッチ（Ｓｔｅｐ  Ｓ８８０）されると、前記対象領域（ＭＡ）に対する領域ズーミング動作は終了してもよい。
【産業上の利用可能性】
【００８４】
本発明は、タッチスクリーンを備えたすべての電子機器（例えば、腕時計型モバイル機器）に適用されてもよい。例えば、本発明は携帯電話、スマートフォン、スマートパッド、ピディエイ（ＰＤＡ）、ピーエムピー（ＰＭＰ）、ＭＰ３プレーヤー、タブレット、ノートブック、デジタルカメラ、ビデオカメラ、携帯用ゲーム機などに適用されてもよい。
【００８５】
以上では本発明の例示的な実施例を参照して説明したが、当該技術分野における通常の知識を持った者であれば、下記の特許請求の範囲に記載された本発明の思想および領域から逸脱しない範囲内で本発明を多様に修正および変更させる可能性があることを理解できる。
【符号の説明】
【００８６】
１００     電子機器     
１２０     全面タッチスクリーン
１４０     側面タッチセンサ
１４０−１１      左側面タッチセンサ
１４０−１２      右側面タッチセンサ
１４０−２１      上側面タッチセンサ
１４０−２２      下側面タッチセンサ
１６０     本体
１６２     プロセッサ
【図１】
2015127957.tif 000003
【図２】
2015127957.tif 000004
【図３】
2015127957.tif 000005
【図４】
2015127957.tif 000006
【図５】
2015127957.tif 000007
【図６】
2015127957.tif 000008
【図７】
2015127957.tif 000009
【図８】
2015127957.tif 000010
【図９】
2015127957.tif 000011
【図１０】
2015127957.tif 000012
【図１１】
2015127957.tif 000013
【図１２】
2015127957.tif 000014
【図１３】
2015127957.tif 000015
【図１４】
2015127957.tif 000016
【図１５】
2015127957.tif 000017
【図１６】
2015127957.tif 000018
【図１７】
2015127957.tif 000019
【図１８】
2015127957.tif 000020
【図１９】
2015127957.tif 000021
【図２０】
2015127957.tif 000022
【図２１】
2015127957.tif 000023
【図２２】
2015127957.tif 000024
【図２３】
2015127957.tif 000025
【図２４】
2015127957.tif 000026
【図２５】
2015127957.tif 000027
【図２６】
2015127957.tif 000028
【図２７】
2015127957.tif 000029
【図２８】
2015127957.tif 000030
【図２９】
2015127957.tif 000031
【図３０】
2015127957.tif 000032
【図３１】
2015127957.tif 000033
【図３２】
2015127957.tif 000034
【図３３】
2015127957.tif 000035
【図３４】
2015127957.tif 000036
【図３５】
2015127957.tif 000037
【図３６】
2015127957.tif 000038
【図３７】
2015127957.tif 000039
【図３８】
2015127957.tif 000040
【図３９】
2015127957.tif 000041
【図４０】
2015127957.tif 000042
【図４１】
2015127957.tif 000043
【図４２】
2015127957.tif 000044
【図４３】
2015127957.tif 000045
【図４４】
2015127957.tif 000046
【図４５】
2015127957.tif 000047
【図４６】
2015127957.tif 000048
【図４７】
2015127957.tif 000049
【図４８】
2015127957.tif 000050
【図４９】
2015127957.tif 000051